(57)【要約】【課題】  拠点毎に設置された複数の画像出力装置の色管理を適正に行うべく、前記拠点毎に配置され前記画像出力装置から出力された出力物の測定を行う複数の測色計の測定値の基準値との差を補正する補正式として補正精度の良い補正式を決定する。【解決手段】  補正式導出部１ｃは、測色計Ｓ１〜Ｓ３によるカラーチャートＰの所定の表色系における測定値をその所定の表色系における色空間を複数の領域に分割した当該領域毎に区分し、その区分した測定値毎に当該測定値を基準となる測色計Ｓ０によるカラーチャートＰの測定値に近似させる補正式を複数種類の演算手法により複数導出する。選択部１ｅは、その区分された測定値毎に上述の複数の補正式によって補正された測色計Ｓ１〜Ｓ３によるカラーチャートＰの測定値と基準値との色差に基づいて上述の複数の補正式の中から最も補正精度の良い補正式を選択する。【選択図】      図１
2005106607.tif 000002
【特許請求の範囲】
【請求項１】
拠点毎に設置された複数の画像出力装置の色管理を行うべく、前記拠点毎に配置され前記画像出力装置から出力された出力物の測定を行う複数の測色計の測定値の基準値との差に基づいて、その差を補正するための補正式を導出する色管理システムであって、
前記拠点毎に配置され、前記測色計により測定された色見本の複数の測定点での所定の表色系における測定値を送信する色見本測定値送信手段を有する複数の端末装置と、
基準となる測色計により測定された前記色見本の複数の測定点での所定の表色系における測定値を予め前記基準値として格納する色見本測定値格納手段と、前記色見本測定値送信手段から送信された前記色見本の複数の測定点での所定の表色系における測定値を受信する色見本測定値受信手段と、前記受信された測定値を前記所定の表色系における色空間を複数の領域に分割した当該領域毎に区分し、前記区分した測定値毎に、当該測定値を前記格納された基準値に近似させる補正を行うための補正式を複数導出する補正式導出手段と、前記区分した測定値毎に、当該測定値を前記導出された複数の補正式により補正して、当該複数の補正式により補正された測定値に基づいて、前記導出された複数の補正式の中から最も補正精度の高い補正式を決定する補正式決定手段と、前記区分した測定値毎に、前記決定された補正式を前記差を補正するための補正式として登録する補正式登録手段と、を有する管理サーバーと、を備えたことを特徴とする色管理システム。
【請求項２】
前記補正式決定手段は、前記複数の補正式により補正された測定値と前記格納された基準値との色差を算出する算出手段と、当該算出された色差が最小となる補正式を前記導出された複数の補正式の中から選択して、これを前記最も補正精度の高い補正式とする補正式選択手段と、を有することを特徴とする請求項１記載の色管理システム。
【請求項３】
前記算出手段は、前記複数の補正式により補正された測定値と前記格納された基準値との色差として、それらのＣＩＥ  Ｌ＊ａ＊ｂ＊表色系におけるＬ＊値、ａ＊値及びｂ＊値の差であるΔＬ＊値、Δａ＊値及びΔｂ＊値に基づく色差であるΔＥ＝{（ΔＬ＊）２＋（Δａ＊）２＋（Δｂ＊）２}１／２値を算出すると共に、前記補正式選択手段は、当該算出されたΔＥ値の最大値又は平均値が最小となる補正式を前記導出された複数の補正式の中から選択して、これを前記最も補正精度の高い補正式とすることを特徴とする請求項２記載の色管理システム。
【請求項４】
前記補正式登録手段は、前記補正式選択手段により選択された補正式を、前記受信された測定値と前記格納された基準値とをＸＹＺ表色系におけるＸ、Ｙ、Ｚの三刺激値にて表現する補正式として登録することを特徴とする請求項２又は請求項３に記載の色管理システム。
【請求項５】
前記管理サーバーは、前記補正式登録手段により登録された補正式を、前記複数の端末装置の内、該当するものに送信する補正式送信手段をさらに備え、
前記複数の端末装置は、前記補正式送信手段から送信された補正式を受信する補正式受信手段と、前記補正式受信手段により受信された補正式を表示する補正式表示手段と、をさらに有することを特徴とする請求項１乃至請求項４の何れか一項に記載の色管理システム。
【請求項６】
拠点毎に設置された複数の画像出力装置の色管理を行うべく、前記拠点毎に配置され前記画像出力装置から出力された出力物の測定を行う複数の測色計の測定値の基準値との差に基づいて、その差を補正するための補正式を導出する色管理方法であって、
前記拠点毎に配置された複数の端末装置において、
前記測色計により測定された色見本の複数の測定点での所定の表色系における測定値を送信する色見本測定値送信ステップと、
前記複数の端末装置とネットワークを介して接続された管理サーバーにおいて、
基準となる測色計により測定された前記色見本の複数の測定点での所定の表色系における測定値を予め前記基準値として格納する色見本測定値格納ステップと、前記色見本測定値送信ステップにおいて送信された前記色見本の複数の測定点での所定の表色系における測定値を受信する色見本測定値受信ステップと、前記受信された測定値を前記所定の表色系における色空間を複数の領域に分割した当該領域毎に区分し、前記区分した測定値毎に、当該測定値を前記格納された基準値に近似させる補正を行うための補正式を複数導出する補正式導出ステップと、前記区分した測定値毎に、当該測定値を前記導出された複数の補正式により補正して、当該複数の補正式により補正された測定値に基づいて、前記導出された複数の補正式の中から最も補正精度の高い補正式を決定する補正式決定ステップと、前記区分した測定値毎に、前記決定された補正式を前記差を補正するための補正式として登録する補正式登録ステップと、を含むことを特徴とする色管理方法。
【請求項７】
前記補正式決定ステップは、前記複数の補正式により補正された測定値と前記格納された基準値との色差を算出する算出ステップと、当該算出された色差が最小となる補正式を前記導出された複数の補正式の中から選択して、これを前記最も補正精度の高い補正式とする補正式選択ステップと、を含むことを特徴とする請求項６記載の色管理方法。
【請求項８】
前記算出ステップでは、前記複数の補正式により補正された測定値と前記格納された基準値との色差として、それらのＣＩＥ  Ｌ＊ａ＊ｂ＊表色系におけるＬ＊値、ａ＊値及びｂ＊値の差であるΔＬ＊値、Δａ＊値及びΔｂ＊値に基づく色差であるΔＥ＝{（ΔＬ＊）２＋（Δａ＊）２＋（Δｂ＊）２}１／２値を算出すると共に、前記補正式選択ステップでは、当該算出されたΔＥ値の最大値又は平均値が最小となる補正式を前記導出された複数の補正式の中から選択して、これを前記最も補正精度の高い補正式とすることを特徴とする請求項７記載の色管理方法。
【請求項９】
前記補正式登録ステップでは、前記補正式選択ステップにおいて選択された補正式を、前記受信された測定値と前記格納された基準値とをＸＹＺ表色系におけるＸ、Ｙ、Ｚの三刺激値にて表現する補正式として登録することを特徴とする請求項７又は請求項８に記載の色管理方法。
【請求項１０】
前記管理サーバーにおいて、
前記補正式登録ステップにおいて登録された補正式を、前記複数の端末装置の内、該当するものに送信する補正式送信ステップと、
前記複数の端末装置において、
前記補正式送信ステップから送信された補正式を受信する補正式受信ステップと、前記補正式受信ステップにおいて受信された補正式を表示する補正式表示ステップと、をさらに含むことを特徴とする請求項６乃至請求項９の何れか一項に記載の色管理方法。
【発明の詳細な説明】
【技術分野】
【０００１】
本発明は、拠点毎に設置された複数の画像出力装置の色管理を適正に行うべく、前記拠点毎に配置され前記画像出力装置から出力された出力物の測定を行う複数の測色計の測定値の基準値との差を補正する補正式を導出するための色管理システム及びその色管理方法に関し、特に、前記補正式として補正精度の高いものを決定する技術に関する。
【背景技術】
【０００２】
例えば、印刷物の仕上がりを事前に確認するためにカラープルーフを出力するカラープルーフ作成装置等の出力装置においては、出力されるカラープルーフの色校正を行う目的で、遠隔地にある複数の拠点に設置された出力装置において同一の出力物を出力することが要求されることがある。
【０００３】
このような場合には、各拠点において出力装置から出力される出力物の色彩や濃度を一致させるべく、これら出力装置の色管理、具体的には、キャリブレーションを行う必要が生じる。
【０００４】
この際、各拠点においては、出力装置から出力される出力物の色彩や濃度（例えば、ＣＩＥ  Ｌ＊ａ＊ｂ＊表色系におけるＬ＊値、ａ＊値、ｂ＊値や、ＸＹＺ表色系におけるＸ、Ｙ、Ｚの三刺激値）を測色計（例えば、色差計）により測定して、その測定値に基づいて、出力物の色彩や濃度を基準値に近似させるように出力装置を調整する作業が行われる。
【０００５】
しかしながら、各拠点においては、通常、別個の測色計が使用されるために、例えば測色計の製造元や機種が異なる場合には、それらの製品や機種等の違いにより、その測定値が必ずしも一致しないという問題が生じる。また、例えば測色計の製造元や機種が同一であっても、それら個体差により、その測定値が必ずしも一致しないという問題が生じる。
【０００６】
そこで、このように複数の測色計間において、その測定値の差を補正する手法として様々なものが提案されることとなった。
【０００７】
例えば特開平６−２８１５０１号公報に記載される色彩値修正装置においては、測色装置の呈する色彩値を得るニューラルネットワークにより構成された色彩値修正手段を備え、当該修正手段により分光分布の解析を行って分光レベルで補正を行い、異なる測色装置間で測定値を合わせる技術（例えば、特許文献１参照）が記載されている。
【０００８】
また、例えば、特開平１１−１３２８４９号公報に記載される測色値の補正方法及び測色機においては、測色値が３つの要素からなる色彩値であり、各要素について、それらの基準値からの測色値差から２次の補正式を作成し、当該補正式を用いて各要素毎に測色値を補正する場合に、各要素毎に適切な補正式を使用することがで、精度良くこれを補正する技術（例えば、特許文献２参照）等が提案されている。
【０００９】
【特許文献１】特開平６−２８１５０１号公報（段落〔００１１〕−〔００３６〕、第１図乃至第５図）
【特許文献２】特開平１１−１３２８４９号公報（段落〔００１５〕‐〔００５０〕、第１図乃至第５図）
【発明の開示】
【発明が解決しようとする課題】
【００１０】
しかしながら、前者の技術においては、ニューラルネットワーク等を使用して複雑な計算を行うため、高性能の大型コンピュータが必要となり、しかも学習等の面倒な作業が必要になるという問題がある。また、後者の技術においては、各拠点において同一機種の測色計を使用する場合に、上述した要素毎の２次補正式によっては、それらの固体差から生じる測定値の差を精度良く補正することはできないという問題がある。
【００１１】
即ち、このような状況の下、各拠点において、出力装置から出力される出力物の色彩や濃度を測色計により測定して、その測定値を基に出力装置の調整を行っても、各拠点での測色計の測定値の差が適正に補正されていないために、それらの出力装置の色管理を適正に行うことは困難であった。
【００１２】
本発明は、上記事情に鑑みてなされたものであり、その目的とするところは、拠点毎に設置された複数の画像出力装置の色管理を適正に行うべく、前記拠点毎に配置され前記画像出力装置から出力された出力物の測定を行う複数の測色計の測定値の基準値との差を補正する補正式として補正精度の良い補正式を決定することができる色管理システム及びその色管理方法を提供することにある。
【課題を解決するための手段】
【００１３】
上記課題を解決するために、請求項１記載の発明は、拠点毎に設置された複数の画像出力装置の色管理を行うべく、前記拠点毎に配置され前記画像出力装置から出力された出力物の測定を行う複数の測色計の測定値の基準値との差に基づいて、その差を補正するための補正式を導出する色管理システムであって、前記拠点毎に配置され、前記測色計により測定された色見本の複数の測定点での所定の表色系における測定値を送信する色見本測定値送信手段を有する複数の端末装置と、基準となる測色計により測定された前記色見本の複数の測定点での所定の表色系における測定値を予め前記基準値として格納する色見本測定値格納手段と、前記色見本測定値送信手段から送信された前記色見本の複数の測定点での所定の表色系における測定値を受信する色見本測定値受信手段と、前記受信された測定値を前記所定の表色系における色空間を複数の領域に分割した当該領域毎に区分し、前記区分した測定値毎に、当該測定値を前記格納された基準値に近似させる補正を行うための補正式を複数導出する補正式導出手段と、前記区分した測定値毎に、当該測定値を前記導出された複数の補正式により補正して、当該複数の補正式により補正された測定値に基づいて、前記導出された複数の補正式の中から最も補正精度の高い補正式を決定する補正式決定手段と、前記区分した測定値毎に、前記決定された補正式を前記差を補正するための補正式として登録する補正式登録手段と、を有する管理サーバーと、を備えたことを特徴とする。
【００１４】
上記課題を解決するために、請求項６記載の発明は、拠点毎に設置された複数の画像出力装置の色管理を行うべく、前記拠点毎に配置され前記画像出力装置から出力された出力物の測定を行う複数の測色計の測定値の基準値との差に基づいて、その差を補正するための補正式を導出する色管理方法であって、前記拠点毎に配置された複数の端末装置において、前記測色計により測定された色見本の複数の測定点での所定の表色系における測定値を送信する色見本測定値送信ステップと、前記複数の端末装置とネットワークを介して接続された管理サーバーにおいて、基準となる測色計により測定された前記色見本の複数の測定点での所定の表色系における測定値を予め前記基準値として格納する色見本測定値格納ステップと、前記色見本測定値送信ステップにおいて送信された前記色見本の複数の測定点での所定の表色系における測定値を受信する色見本測定値受信ステップと、前記受信された測定値を前記所定の表色系における色空間を複数の領域に分割した当該領域毎に区分し、前記区分した測定値毎に、当該測定値を前記格納された基準値に近似させる補正を行うための補正式を複数導出する補正式導出ステップと、前記区分した測定値毎に、当該測定値を前記導出された複数の補正式により補正して、当該複数の補正式により補正された測定値に基づいて、前記導出された複数の補正式の中から最も補正精度の高い補正式を決定する補正式決定ステップと、前記区分した測定値毎に、前記決定された補正式を前記差を補正するための補正式として登録する補正式登録ステップと、を含むことを特徴とする。
【発明の効果】
【００１５】
本発明に係る色管理システム及びその色管理方法によれば、管理サーバーの補正式導出部が、格納部に格納された基準となる測色計による色見本の各測定点での所定の表色系における色彩や濃度の基準値と、受信部により受信された各拠点に配置された測色計による色見本の各測定点での所定の表色系における色彩や濃度の測定値とに基づいて、所定の表色系における色空間を複数の領域に分割した当該複数の領域毎に各拠点に配置された測色計による色見本の各測定点での所定の表色系における色彩や濃度の測定値を区分し、当該区分された測定値毎に、複数種類の演算手法により、各拠点に配置された測色計による色見本の色彩や濃度の測定値を基準値に近似させる補正を行うための複数の補正式を導出して、算出部が、上述の区分された測定値毎に、それら複数の補正式により補正された各拠点に配置された測色計による色見本の色彩や濃度の測定値と基準値との色差を算出して、選択部が、上述の区分された測定値毎に、その平均値又は最大値が最小となるものを最も補正精度の良い補正式として選択して、登録部が、上述の区分された測定値毎に、その補正式を各拠点に配置された測色計による測定値と基準値との差を補正する補正式として登録するので、管理サーバーにおいては、各拠点に配置された測色計による測定値が属する上述の所定の表色系における色空間の領域に応じた精度の良い補正を行うことができる補正式を決定することができると共に、ユーザにおいては、各拠点にて、当該区分された測定値毎の補正式を参照しつつ、出力装置から出力された出力物の色彩や濃度の測定を行い、その測定値が属する上述の所定の表色系における色空間の分割された領域に対応する補正式に基づいて、これを補正することで、基準値との差を解消して、さらに、その補正された測定値に基づいて出力装置の出力色彩や出力濃度の調整を行うことで、自身の拠点に設置された出力装置の色管理を適切に行うことができる。
【００１６】
また、本発明に係る色管理システム及びその色管理方法によれば、ユーザは、自身の拠点に配置された端末装置の受信部によって、管理サーバーの登録部に登録された上述の区分された測定値毎の補正式に関する情報を受信して、表示部によって、当該受信した、上述の区分された測定値毎の補正式に関する情報を表示することができるので、管理サーバーの設置場所に赴くことなく、これを参照することができ、効率良く、自身の拠点に配置された測色計の測定値の補正を行い、その補正された測定値に基づいて出力装置の調整を行い、自身の拠点に設置された出力装置の色管理を行うことができる。
【発明を実施するための最良の形態】
【００１７】
以下、本発明に係る色管理システム及びその色管理方法について、図面を参照しながら具体的に説明する。
【００１８】
［色管理システムの構成］
まず、本実施形態における色管理システムの構成について、図面を参照しながら詳細に説明する。
【００１９】
（色管理システムの概略構成）
図１に、当該色管理システムのシステム構成を示す。図１に示すように、当該色管理システムは、遠隔地にある複数の拠点毎に設置された出力装置Ｃ１〜Ｃ３から出力される出力物の色彩や濃度をそれぞれ測定する測色計Ｓ１〜Ｓ３の測定値と基準となる測色計Ｓ０による測定値との差を補正する補正式を複数導出して、それらの複数の補正式により出力装置Ｃ１〜Ｃ３から出力された出力物の測色計Ｓ１〜Ｓ３による測定値を補正して、それらの補正された測定値と基準となる測色計Ｓ０による測定値との色差に基づいて、最も補正精度の良い補正式を決定して、その補正式を登録する管理サーバー１と、測色計Ｓ１〜Ｓ３のそれぞれに対応して配置され、測色計Ｓ１〜Ｓ３による測定値を管理サーバー１に送信すると共に、上述した管理サーバー１において登録された補正式を受信して、これを表示する複数の端末装置２ａ〜２ｃと、を含み構成される。
【００２０】
尚、端末装置２ａ〜２ｃは、測色計Ｓ１〜Ｓ３の個数に応じて任意の個数が配置されて良い。また、出力装置Ｃ１〜Ｃ３や測色計Ｓ１〜Ｓ３は、互いに異なる製品や機種であっても良い。また、出力装置Ｃ１〜Ｃ３は、カラープルーフ作成装置の他にも、プリンタ、複写機等の色彩や濃度の調整が可能な出力装置であれば良い。
【００２１】
（管理サーバーの詳細構成）
ここで、管理サーバー１の詳細構成について説明する。管理サーバー１は、所謂、コンピュータ端末であって、モニタ等の表示手段と、キーボードやマウス等の入力手段と、サーバーを含む装置本体と、を備えている。さらに、この装置本体は、基準となる測色計Ｓ０により測定された測色計補正用カラーチャート（本発明の「色見本」に対応する）Ｐの各測定点での所定の表色系における色彩や濃度の測定値を予め基準値として格納する格納部１ａと、端末装置２ａ〜２ｃから送信された測色計Ｓ１〜Ｓ３による出力装置Ｃ１〜Ｃ３から出力された出力物（本発明の「出力物」に対応する）及び測色計補正用カラーチャートＰの各測定点での所定の表色系における色彩や濃度の測定値を受信する受信部１ｂと、この受信部１ｂにより受信された測色計Ｓ１〜Ｓ３による測色計補正用カラーチャートＰの各測定点での所定の表色系における色彩や濃度の測定値を上述した所定の表色系における色空間を複数の領域に分割した当該領域毎に区分し、その区分した測定値毎に、当該測定値を格納部１ａに格納された測色計補正用カラーチャートＰの色彩や濃度の基準値に近似させる補正を行うための補正式を後述する複数種類の演算手法により複数導出する補正式導出部１ｃと、上述の区分された測定値毎に、この補正式導出部１ｃにより導出された複数の補正式に基づき補正された測色計Ｓ１〜Ｓ３による測色計補正用カラーチャートＰの色彩や濃度の測定値と格納部１ａに格納された測色計補正用カラーチャートＰの色彩や濃度の基準値との色差を算出する算出部１ｄと、上述の区分された測定値毎に、この算出部１ｄにより算出された色差に基づいて、補正式導出部１ｃにより導出された複数の補正式の中から最も補正精度の良い補正式を選択する選択部１ｅと、上述の区分された測定値毎に、この選択部１ｅにより選択された補正式を、受信部１ｂにより受信された測色計Ｓ１〜Ｓ３による測色計補正用カラーチャートＰの色彩や濃度の測定値を格納部１ａに格納された測色計補正用カラーチャートＰの色彩や濃度の基準値に近似させる補正を行うための補正式として登録する登録部１ｆと、この登録部１ｆに登録された上述の区分された測定値毎の補正式に関する情報を端末装置２ａ〜２ｃに送信する送信部１ｇと、を含み構成されている。
【００２２】
尚、格納部１ａは、メモリ等の記憶手段により構成され、本発明の「色見本測定値格納手段」に対応する。また、受信部１ｂ及び送信部１ｇは、ネットワークＩ／Ｆにより構成され、各々、本発明の「色見本測定値受信手段」、「補正式送信手段」に対応する。また、補正式導出部１ｃ、算出部１ｄ、選択部１ｅ、登録部１ｆは、ＣＰＵ等の演算手段とメモリ等の記憶手段により構成され、各々、ＣＰＵ等の演算手段がメモリ等の記憶手段に格納された所定の演算プログラムを実行することで、後述する処理を行う。これらは、各々、本発明の「補正式導出手段」、「算出手段」、「補正式選択手段」、「補正式登録手段」に対応する。因みに、補正式導出部１ｃ及び選択部１ｅで、本発明の「補正式決定手段」を構成する。
【００２３】
（測色計補正用カラーチャートの構成）
ここで、上述した測色計補正用カラーチャートＰの構成について説明する。測色計補正用カラーチャートＰは、本発明の「色見本」に対応するものであって、具体的には、図２に示すように、例えばＣ１００％、Ｍ１００％、Ｙ１００％、Ｋ１００％、ＣＭＹ１００％、ＭＹ１００％等、所定の表色系における色空間の各領域を網羅する各色が横一列に配置され、各々が１つの測定点を構成している（因みに、同図においては１７の測定点を構成する）ものである。即ち、基準となる測色計Ｓ０や測色計Ｓ１〜Ｓ３においては、これら複数の内、同様の測定点を同様の測定順にて（例えば、図に示す矢印方向に沿って）測定することになる。
【００２４】
尚、測色計補正用カラーチャートＰは、経時的な色変動の少ない熱溶融型のハイエンドＤＤＣＰ（Ｄｉｒｅｃｔ  Ｄｉｇｉｔａｌ  Ｃｏｌｏｒ  Ｐｒｏｏｆの略で、デジタルデータを高精度のプリンタに直接出力するシステム）により作成されることが好ましい。
【００２５】
（端末装置の詳細構成）
ここで、端末装置２ａ〜２ｃの詳細構成について説明する。但し、当該端末装置２ａ〜２ｃは、何れも同様の構成となっているため、以下においては、端末装置２ａを例に採り説明を行う。
【００２６】
端末装置２ａは、所謂、コンピュータ端末であって、測色計Ｓ１による測色計補正用カラーチャートＰの各測定点での所定の表色系における色彩や濃度の測定値を入力するためのインターフェース（Ｉ／Ｆ）である入力部２ａａと、この入力部２ａａを介して入力された測色計Ｓ１の測定値をネットワークＮを介して管理サーバー１へ送信する送信部２ａｂと、管理サーバー１の送信部１ｇから送信された補正式、即ち、管理サーバー１の登録部１ｆに登録された上述の区分された測定値毎の補正式に関する情報を受信する受信部２ａｃと、この受信部２ａｃにより受信された上述の区分された測定値毎の補正式に関する情報を表示する表示部２ａｄと、を含み構成されている。
【００２７】
尚、入力部２ａａは、キーボードやマウス等の入力手段により構成される。また、送信部２ａｂ及び受信部２ａｃは、ネットワークＩ／Ｆにより構成され、各々、本発明の「色見本測定値送信手段」、「補正式受信手段」に対応する。また、表示部２ａｄは、モニタ等の表示手段により構成され、本発明の「補正式表示手段」に対応する。
【００２８】
［色管理方法］
ここで、上述した当該色管理システムにおいて行われる色管理方法について、図３乃至図５に示すフローチャートの流れに沿って、図６乃至図１０を参照しつつ説明する。但し、以下においては、測色計Ｓ１による測定値の補正を行い、出力装置Ｃ１に関するキャリブレーションを行う場合を例に挙げて説明を行う。
【００２９】
〔色見本測定値格納ステップ〕
管理サーバー１の管理者は、基準となる測色計Ｓ０によって、上述した測色計補正用カラーチャートＰの色彩や濃度を所定の測定点の位置や測定順に従って測定する。これにより、測色計補正用カラーチャートＰの各測定点での所定の表色系における色彩や濃度の測定値が測定される。
【００３０】
次に、管理者は、この基準となる測色計Ｓ０により測定された測色計補正用カラーチャートＰの各測定点での所定の表色系における色彩や濃度の測定値を、管理サーバー１において、キーボードやマウス等の入力手段、又は、測定値の格納されたファイルの登録により入力する。但し、この際、測色計補正用カラーチャートＰの各測定点の位置や測定順に関する情報も入力する。これにより、測色計補正用カラーチャートＰの各測定点での所定の表色系における色彩や濃度の測定値は、それらの測定点の位置や測定順に関する情報と共に格納部１ａの後述する基準測定器測定データｔａｂｌｅに基準測定器測定データとして格納される。
【００３１】
一方、当該色管理システムを利用するユーザは、端末装置２ａにおいて、測色計Ｓ１による測色計補正用カラーチャートＰの各測定点での所定の表色系における色彩や濃度の測定値を登録する作業を行う。具体的には、まず、端末装置２ａから管理サーバー１にアクセスすることで、例えばＷｅｂ上の所定のサイトに表示される画面にて、所定の事項、具体的には、測色計Ｓ１の測定対象物である測色計補正用カラーチャートＰの郵送先に関する情報（送り先人の住所、氏名、電話番号等）等を入力する。
【００３２】
これを受けて、管理者は、管理サーバー１において、上述したＷｅｂ上の所定のサイトに表示される画面にて、それらの所定の事項を確認して、指定された郵送先に測色計補正用カラーチャートＰを郵送する作業を行う。
【００３３】
一方、ユーザは、測色計補正用カラーチャートＰが到着すると、端末装置２ａの入力部２ａａに測色計Ｓ１を通信ケーブル等の通信手段により接続した上で、端末装置２ａから管理サーバー１にアクセスして、Ｗｅｂページに表示されるツール画面にて、測定ツールをダウンロードする作業を行う。尚、この測定ツールとは、基準となる測色計Ｓ０により測定された測色計補正用カラーチャートＰの各測定点の位置や測定順に関する情報、さらには、測色計Ｓ１による測色計補正用カラーチャートＰの各測定点での所定の表色系における色彩や濃度の測定値を送信する送信先に関する情報等を含むものであって、当該測定ツールは、端末装置２ａを介して測色計Ｓ１にダウンロードされて、測色計Ｓ１においては、基準となる測色計Ｓ０による場合と同様の位置にある測定点を同様の測定順にて測定する。尚、この測定ツールは、ＣＤ−ＲＯＭ等の記憶媒体に記憶されて、端末装置２ａを介して測色計Ｓ１にダウンロードされることにしても良い。
【００３４】
〔色見本測定値送信ステップ〕
図３に示すように、このようにして、ユーザが測色計Ｓ１により測色計補正用カラーチャートＰの各測定点での所定の表色系における色彩や濃度を測定すると（Ｓ０１）、それらの測定値は、入力部２ａａを介して端末装置２ａに送信される（Ｓ０２）。この際、測色計補正用カラーチャートＰの各測定点での所定の表色系における色彩や濃度の測定値は、端末装置２ａ〜２ｃの表示手段に表示される測定画面、具体的には、図６に示すような測色計補正用カラーチャート測定画面１０Ａの測定値表示欄１０Ａａにおいて、例えばＣＩＥ  Ｌ＊ａ＊ｂ＊表色系におけるＬ＊値、ａ＊値、ｂ＊値にて表示される。
【００３５】
ユーザは、次に、この測色計補正用カラーチャート測定画面１０Ａにおいて、入力手段の操作により送信ボタンを選択することで、それらの情報を端末装置２ａの送信部２ａｂより管理サーバー１へ送信するための操作を行う（Ｓ０３）。
【００３６】
図４に示すように、すると、端末装置の送信部２ａｂは、管理サーバー１にアクセスして、表示部２ａｄは、ログイン画面を表示する。さらに、ユーザがこのログイン画面において、入力手段によりログイン操作を行うと、管理サーバー１の登録部１ｆは、当該管理サーバー１にアクセスした端末装置２ａのユーザに関するデータベース認証を行う（Ｓ０７）。即ち、登録部１ｆにおいては、端末装置２ａ〜２ｃを使用するユーザに関する識別情報がユーザ情報ｔａｂｌｅとして格納されており、当該ユーザ情報ｔａｂｌｅを参照することで（Ｓ０８）、ユーザ認証を行う（Ｓ０９）。ここで、ユーザが認証された場合には（Ｓ０９、ＯＫ）、登録部１ｆは、セッション情報ｔａｂｌｅに格納された設定情報を参照して（Ｓ１０）、当該設定情報に従って、認証されたユーザ、即ち、端末装置２ａに対してセッションを開始する（Ｓ１１）。
【００３７】
〔色見本測定値受信ステップ〕
これを受けて、端末装置２ａの送信部２ａｂは、測色計Ｓ１による測色計補正用カラーチャートＰの各測定点での所定の表色系における色彩や濃度の測定値を管理サーバー１へ送信して、管理サーバー１においては、受信部１ｂがこれを受信して、格納部１ｂのユーザ測定器測定データｔａｂｌｅに格納する。ここで、格納部１ｂは、ユーザ測定器情報ｔａｂｌｅに、基準となる測色計Ｓ０と測色計Ｓ１〜Ｓ３の製品差や機種差による測定値の差を補正する補正情報を格納しており、ユーザ測定器測定データｔａｂｌｅに格納された測色計Ｓ１による測色計補正用カラーチャートＰの各測定点での所定の表色系における色彩や濃度の測定値を、このユーザ測定器情報ｔａｂｌｅに格納された補正情報によって補正することで、これを基準となる測色計Ｓ０との製品差や機種差による測定値の差が補正されたユーザ測定器補正後測定データとして格納する。
【００３８】
〔補正式導出ステップ〕
これを受けて、補正式導出部１ｃは、格納部１ａに格納されたユーザ測定器補正後測定データと格納部１ａの基準測定器測定データｔａｂｌｅに格納された基準測定器測定データとを取得して（Ｓ１２）、取得したユーザ測定器補正後測定データ、即ち、測色計Ｓ１による測色計補正用カラーチャートＰの各測定点での所定の表色系における色彩や濃度の測定値を、その所定の表色系における色空間を複数の領域に分割した当該領域毎に区分した上で、具体的には、図７に示すように、例えばＣＩＥ  Ｌ＊ａ＊ｂ＊表色系における色空間を複数の領域、ａ＊×ｂ＊空間における“＋ａ＊領域”と“−ａ＊領域”の２つの領域、さらにはａ＊×ｂ＊空間における“＋ａ＊、＋ｂ＊領域”と“＋ａ＊、−ｂ＊領域”と“−ａ＊、＋ｂ＊領域”と“−ａ＊、−ｂ＊領域”の４つの領域に分割した上で、当該区分した領域毎の測定値毎に、測色計Ｓ１による測色計補正用カラーチャートＰの各測定点での所定の表色系における色彩や濃度の測定値を、取得した基準測定器測定データ、即ち、基準となる測色計Ｓ０による測色計補正用カラーチャートＰの各測定点での所定の表色系における色彩や濃度の基準値に近似させる補正を行うための補正式を複数種類の演算手法により複数導出する（Ｓ１３）。
【００３９】
尚、補正式導出部１ｃは、この際、例えばＣＩＥ（Ｃｏｍｍｉｓｓｉｏｎ  Ｉｎｔｅｒｎａｔｉｏｎａｌｅ  ｄｅ  ｌ‘Ｅｃｌａｉｒａｇｅ：国際照明委員会）  Ｌ＊ａ＊ｂ＊表色系にて表現された測定値をＸＹＺ（三刺激値）表色系にて表現される測定値へ変換した上で、上述した複数の補正式を導出することが好ましい。これは、ＸＹＺ（三刺激値）表色系においては、測定値を常に正の値で表現することができ、測定値の補正を行うことが容易になるからである。但し、測色計Ｓ１の構成によっては、測定値がＸＹＺ（三刺激値）表色系にて算出されることがあり、このような場合には、上述した変換を行う必要はなくなる。
【００４０】
（変換手法の詳細）
ここで、上述したＣＩＥ（Ｃｏｍｍｉｓｓｉｏｎ  Ｉｎｔｅｒｎａｔｉｏｎａｌｅ  ｄｅ  ｌ‘Ｅｃｌａｉｒａｇｅ：国際照明委員会）  Ｌ＊ａ＊ｂ＊表色系からＸＹＺ（三刺激値）表色系へ測定値を変換する手法の詳細について、具体的に説明する。
【００４１】
Ｌ＊ａ＊ｂ＊表色系からＸＹＺ（三刺激値）表色系への変換式
例えば、Ｄ５０光源（印刷業界の標準色温度（５０００Ｋ））とした場合、（Ｌ、ａ、ｂ）と（Ｘ、Ｙ、Ｚ）との間には、
ｙ＝（Ｌ＋１６．０）／１１６．０
ｘ＝ａ／５００．０＋ｙ
ｚ＝ｙ−ｂ／２００．０  
という関係式が成り立つ。
ここで、ｘｓ０、ｙｓ０、ｚｓ０＞０．００８８５６となる場合には、
ｘｓ０＝ｘ３
ｙｓ０＝ｙ３
ｚｓ０＝ｚ３とし、
また、ｘｓ０、ｙｓ０、ｚｓ０≦０．００８８５６となる場合には、
ｘｓ０＝〔ｘ−（１６．０／１１６．０）〕／７．７８７
ｙｓ０＝{ｙ−（１６．０／１１６．０）}／７．７８７
ｚｓ０＝〔ｚ−（１６．０／１１６．０）〕／７．７８７
として、
Ｘ＝ｘｓ０×０．９８０７２
Ｙ＝ｙｓ０×１．０００００
Ｚ＝ｚｓ０×１．１８２２５
に代入すると、Ｘ、Ｙ、Ｚの各要素が適正にＬ、ａ、ｂの値にて表現される。
【００４２】
（複数の演算手法の具体例）
次に、上述した補正式導出部１ｃが複数の補正式を導出する際に用いる複数の演算手法の具体例について説明する。
【００４３】
補正式導出部１ｃは、例えば、特開平１１−１３２８４９号公報（段落〔００１５〕‐〔００５０〕、第１図乃至第５図）に開示される演算手法を含む、以下に記載する種々の演算手法により複数の補正式を導出する。
【００４４】
例１）回帰分析にて、２次関数の係数（α、β、γ）を求める手法
まず、Ｘ、Ｙ、Ｚの要素毎に基準となる測色計Ｓ０による測色計補正用カラーチャートＰの色彩や濃度の基準値（Ｌ＊ａ＊ｂ＊表色系にて表現された測定値をＸＹＺ表色系にて表現される測定値へ変換したもの）と測色計Ｓ１による測色計補正用カラーチャートＰの色彩や濃度の測定値（Ｌ＊ａ＊ｂ＊表色系にて表現された測定値をＸＹＺ表色系にて表現される測定値へ変換したもの）との差を求め、図８（Ａ）、（Ｂ）に示すように、測色計Ｓ１による測定値を横軸、基準となる測色計Ｓ０による測定値との差を縦軸として、各測定点毎にプロットしてグラフを作成し、各要素毎の測定値差の近似曲線を算出する。この近似曲線は、測色計Ｓ１による測定値をＸｕ、Ｙｕ、Ｚｕ、基準となる測色計Ｓ０による測定値との差をＤｘ（Ｘｕ）、Ｄｙ（Ｘｕ）、Ｄｚ（Ｚｕ）とすると、以下のように表すことができる。
【００４５】
その１：近似曲線が原点を通るとしたもの（図８（Ａ）に対応する）
Ｄｘ（Ｘｕ）＝Ｘｓ−Ｘｕ＝α（Ｘｕ＋β）２
Ｄｙ（Ｙｕ）＝Ｙｓ−Ｙｕ＝α（Ｘｕ＋β）２
Ｄｚ（Ｚｕ）＝Ｚｓ−Ｚｕ＝α（Ｘｕ＋β）２
ここで、α、βは、同一のサンプル測定における係数である。
【００４６】
その２：近似直線が必ずしも原点を通らないとしたもの（図８（Ｂ）に対応する）
Ｄｘ（Ｘｕ）＝Ｘｓ−Ｘｕ＝αＸｕ２＋βＸｕ＋γ
Ｄｙ（Ｙｕ）＝Ｙｓ−Ｙｕ＝αＹｕ２＋βＹｕ＋γ
Ｄｚ（Ｚｕ）＝Ｚｓ−Ｚｕ＝αＺｕ２＋βＺｕ＋γ
ここで、α、β、γは、同一のサンプル測定における係数である。
【００４７】
上記近似曲線について、Ｘ、Ｙ、Ｚの各要素毎に最小二乗法でα、β、γの値を求め、Ｘｕ＝、Ｙｕ＝、Ｚｕ＝に続く、Ｘｓ、Ｙｓ、Ｚｓの関数となる補正式を導出する。
【００４８】
例２）回帰分析にて、３×３のマトリクス係数（ａ００〜ａ２２）を求める手法
その１：切片なし
2005106607.tif 000003
ここで、Ｘｓ、Ｙｓ、Ｚｓは、基準となる測色計Ｓ０による測色計補正用カラーチャートＰの色彩や濃度の基準値であり、Ｘｕ、Ｙｕ、Ｚｕは、測色計Ｓ１による測色計補正用カラーチャートＰの色彩や濃度の測定値である。また、ａ００〜ａ２２は、同一のサンプル測定における係数である。
【００４９】
その２：切片あり
2005106607.tif 000004
ここで、Ｘｓ、Ｙｓ、Ｚｓは、基準となる測色計Ｓ０による測色計補正用カラーチャートＰの色彩や濃度の基準値であり、Ｘｕ、Ｙｕ、Ｚｕは、測色計Ｓ１による測色計補正用カラーチャートＰの色彩や濃度の測定値であり、ａ００〜ａ２２は、同一のサンプル測定における係数であり、ｂ１〜ｂ３は、同一のサンプル測定における定数である。
【００５０】
上記式の各々について、Ｘ、Ｙ、Ｚの各要素毎に、回帰分析によりａ００〜ａ２２やｂ１〜ｂ３の値を求め、以下に示す補正式を導出する。
【００５１】
その１：切片なし
2005106607.tif 000005
【００５２】
その２：切片あり
2005106607.tif 000006
【００５３】
例３）回帰分析にて、１次関数の係数（α、β）を求める手法
まず、Ｘ、Ｙ、Ｚの要素毎に基準となる測色計Ｓ０による測色計補正用カラーチャートＰの色彩や濃度の基準値（Ｌ＊ａ＊ｂ＊表色系にて表現された測定値をＸＹＺ表色系にて表現される測定値へ変換したもの）と測色計Ｓ１による測色計補正用カラーチャートＰの色彩や濃度の測定値（Ｌ＊ａ＊ｂ＊表色系にて表現された測定値をＸＹＺ表色系にて表現される測定値へ変換したもの）との差を求め、図９（Ａ）、（Ｂ）に示すように、測色計Ｓ１による測定値を横軸、基準となる測色計Ｓ０による測定値との差を縦軸として、各測定点毎にプロットしてグラフを作成し、各要素毎の測定値差の近似直線を算出する。この近似直線は、測色計Ｓ１による測定値をＸｕ、Ｙｕ、Ｚｕ、基準となる測色計Ｓ０による測定値との差をＤｘ（Ｘｕ）、Ｄｙ（Ｘｕ）、Ｄｚ（Ｚｕ）とすると、以下のように表すことができる。
【００５４】
その１：近似直線が原点を通るとしたもの（図９（Ａ）に対応する）
Ｄｘ（Ｘｕ）＝Ｘｓ−Ｘｕ＝αＸｕ
Ｄｙ（Ｙｕ）＝Ｙｓ−Ｙｕ＝αＹｕ
Ｄｚ（Ｚｕ）＝Ｚｓ−Ｚｕ＝αＺｕ
ここで、αは、同一のサンプル測定における係数である。
【００５５】
その２：近似直線が必ずしも原点を通らないとしたもの（図９（Ｂ）に対応する）
Ｄｘ（Ｘｕ）＝Ｘｓ−Ｘｕ＝αＸｕ＋β
Ｄｙ（Ｙｕ）＝Ｙｓ−Ｙｕ＝αＹｕ＋β
Ｄｚ（Ｚｕ）＝Ｚｓ−Ｚｕ＝αＺｕ＋β
ここで、α、βは、同一のサンプル測定における係数である。
【００５６】
上記近似直線について、Ｘ、Ｙ、Ｚの各要素毎に最小二乗法でα、βの値を求め、以下に示す補正式を導出する。
その１：近似直線が原点を通るとしたもの（図９（Ａ）に対応する）
Ｘｕ＝Ｘｓ／（α＋１）
Ｙｕ＝Ｙｓ／（α＋１）
Ｚｕ＝Ｚｓ／（α＋１）
その２近似直線が必ずしも原点を通らないとしたもの（図９（Ｂ）に対応する）
Ｘｕ＝（Ｘｓ−β）／（α＋１）
Ｙｕ＝（Ｙｓ−β）／（α＋１）
Ｚｕ＝（Ｚｓ−β）／（α＋１）
【００５７】
〔補正式決定ステップ〕
図５に示すように、さらに、管理サーバー１においては、算出部１ｄが、上述の区分された測定値毎に、これら複数の補正式により補正された測色計Ｓ１による測色計補正用カラーチャートＰの各測定点での所定の表色系における色彩や濃度の測定値と、基準となる測色計Ｓ０による測色計補正用カラーチャートＰの各測定点での所定の表色系における色彩や濃度の測定値とを、再度、ＣＩＥ  Ｌ＊ａ＊ｂ＊表色系にて表現される値へ変換した上で、上述の複数の補正式により補正された測色計Ｓ１による測色計補正用カラーチャートＰの各測定点での所定の表色系における色彩や濃度の測定値と基準となる測色計Ｓ０による測色計補正用カラーチャートＰの各測定点での所定の表色系における色彩や濃度の基準値との色差であるΔＥ＝{（ΔＬ＊）２＋（Δａ＊）２＋（Δｂ＊）２}１／２値、さらには、それらの各測定点における平均値（平均ΔＥ値）、又は、最大値（最大ΔＥ値）を算出して（Ｓ１４、算出ステップ）、選択部１ｅが、それら平均ΔＥ値、又は、最大ΔＥ値が最小となる補正式を最も補正精度の良い補正式として選択する（Ｓ１５、補正式選択ステップ）。因みに、実際においては、上述した例２）と例３）とを比較した場合、基準となる測色計Ｓ０と測色計Ｓ１〜Ｓ３が異なる製品や機種である場合には、例３）による補正式の方が、補正精度が良くなる傾向にある。一方、基準となる測色計Ｓ０と測色計Ｓ１〜Ｓ３が同一の製品や機種である場合には、例２）による補正式の方が、補正精度が良くなる傾向にある。
【００５８】
（補正式決定の具体例）
ここで、上述した算出部１ｄにより平均ΔＥ値、最大ΔＥ値が算出されて、上述した選択部１ｅにより最も補正精度の良い補正式が選択される詳細について説明する。
【００５９】
図１０に、算出部１ｄにより算出された平均ΔＥ値、最大ΔＥ値の一例を示す。図１０に示すように、本例においては、補正式導出部１ｃが、格納部１ａに格納された測色計Ｓ１による測色計補正用カラーチャートＰの各測定点での所定の表色系における色彩や濃度の測定値をＣＩＥ  Ｌ＊ａ＊ｂ＊表色系における色空間の複数の領域、具体的には、ａ＊×ｂ＊空間における“＋ａ＊領域”及び“−ａ＊領域”の２つの領域と、ａ＊×ｂ＊空間における“＋ａ＊、＋ｂ＊領域”、“＋ａ＊、−ｂ＊領域”、“−ａ＊、＋ｂ＊領域”及び“−ａ＊、−ｂ＊領域”の４つの領域にそれぞれ分割した上で、当該分割された領域毎に区分した測定値毎に、測色計Ｓ１による測色計補正用カラーチャートＰの色彩や濃度の測定値を格納部１ａに格納された基準となる測色計Ｓ０による測色計補正用カラーチャートＰの色彩や濃度の基準値に近似させる補正を行うための補正式を、上述した複数種類の演算手法、具体的には、例２）における“その１（３×３のマトリクス係数を求める手法（切片なし））”、“その２（３×３のマトリクス係数を求める手法（切片あり））”と、例３）における“その１（１次関数の係数を求める手法（切片なし））”、“その２（１次関数の係数を求める手法（切片あり））”の演算手法によりそれぞれ導出して、算出部１ｄが、それらの補正式により補正された測色計Ｓ１による測色計補正用カラーチャートＰの色彩や濃度の各測定点における測定値と、基準となる測色計Ｓ０による測色計補正用カラーチャートＰの色彩や濃度の各測定点における基準値との色差であるΔＥ＝{（ΔＬ＊）２＋（Δａ＊）２＋（Δｂ＊）２}１／２値、さらには、それらの各測定点における平均ΔＥ値、最大ΔＥ値を算出した場合を例に挙げている。但し、図１０においては、比較対象のために、補正式導出部１ｃが、上述した領域分割を行わない従来における場合（領域分割なし）の各測定点における平均ΔＥ値、最大ΔＥ値も記載してある。因みに、図１０に示すように、領域分割を行った場合には、２分割と４分割の何れの場合においても、各測定点における平均ΔＥ値、最大ΔＥ値は、従来における場合（領域分割なし）と比較して小さくなることが確認できる。即ち、各補正式においては、その補正精度が良くなることが確認できる。
【００６０】
上述したように、補正式導出部１ｃは、算出部１ｄにより算出された平均ΔＥ値又は最大ΔＥ値の何れかが最小となる補正式を最も補正精度の良い補正式として選択するが、その際、それらの何れを選択するのかは、例えば、基本的には最大ΔＥが最小となるものを選択するが、その状況に応じて平均ΔＥが最小となるものを選択するといったようにフレキシブルに設定されることが好ましい。例えば、図１０に示すように、格納部１ａに格納された測色計Ｓ１による測色計補正用カラーチャートＰの各測定点での測定値をＣＩＥ  Ｌ＊ａ＊ｂ＊表色系における色空間であるａ＊×ｂ＊空間における“＋ａ＊領域”及び“−ａ＊領域”の２つの領域に分割した場合には、各補正手法における平均ΔＥ値のバラつきが０．１７２〜０．２３３と比較的小さいため、補正式導出部１ｃは、このような場合には、最大ΔＥ値が最小、即ち０．７７７となる“３×３のマトリクス係数を求める手法（切片あり）”を最も補正精度の良い補正式として選択することとする。一方、格納部１ａに格納された測色計Ｓ１による測色計補正用カラーチャートＰの各測定点での測定値をＣＩＥ  Ｌ＊ａ＊ｂ＊表色系における色空間であるａ＊×ｂ＊空間における“＋ａ＊、＋ｂ＊領域”、“＋ａ＊、−ｂ＊領域”、“−ａ＊、＋ｂ＊領域”及び“−ａ＊、−ｂ＊領域”の４つの領域に分割した場合には、各補正手法における平均ΔＥ値のバラつきが０．１６６〜０．２９９と比較的大きいため、補正式導出部１ｃは、このような場合には、最大ΔＥ値が最小、即ち０．７７７となる“１次関数の係数を求める手法（切片なし）”を最も補正精度の良い補正式として選択するのではなく、平均ΔＥ値が最小、即ち０．１６６となる“３×３のマトリクス係数を求める手法（切片あり）”を最も補正精度の良い補正式として選択することとする。
【００６１】
このような処理を行うことにより、例えば、測色計Ｓ１による測色計補正用カラーチャートＰの各測定点での所定の表色系における色彩や濃度の測定値の中に、他の測定点とはかけ離れた測定値が幾つか含まれている場合、特に、それらの測定値が視認上あまり重要とされない色彩の測定値であるような場合であっても、これに影響されることなく適正に最も補正精度の良い補正式を選択することができる。
【００６２】
〔補正式登録ステップ〕
図５に戻って、次に、管理サーバー１においては、登録部１ｆが、選択部１ｅにより選択された、上述の区分された測定値毎の最も補正精度の良い補正式を測色計Ｓ１による測定値と基準値との差を補正する補正式として登録する（Ｓ１６）。尚、この際、登録部１ｆは、選択部１ｅにより選択された、上述の区分された測定値毎の補正式を、基準となる測色計Ｓ０による基準値や測色計Ｓ１による測定値がＸＹＺ（三刺激値）表色系にて表現されるものとして登録する。これは、上述したように、ＸＹＺ（三刺激値）表色系においては、測定値を常に正の値で表現することができ、測定値の補正を行うことが容易になるからである。
【００６３】
〔補正式送信ステップ〕
ここまでの工程が終了すると、管理サーバー１においては、送信部１ｇが端末装置２ａに対して測色計Ｓ１の測定値の登録、より詳細には、測色計Ｓ１による測色計補正用カラーチャートＰの色彩や濃度の測定値を基準となる測色計Ｓ０による測色計補正用カラーチャートＰの色彩や濃度の基準値に補正する補正式の登録が完了した旨の通知を行うと共に、登録部１ｆにより登録された、上述した区分された測定値毎の補正式に関する情報を端末装置２ａに送信する（Ｓ１７）。因みに、この際、例えば補正式導出部１ｃが、測色計Ｓ１〜Ｓ３による測色計補正用カラーチャートＰの色彩や濃度の測定値と基準となる測色計Ｓ０による測色計補正用カラーチャートＰの色彩や濃度の基準値との差を判断して、その差が規定値よりも大きい場合にのみ、送信部１ｇが登録部１ｆにより登録された、上述した区分された測定値毎の補正式に関する情報を端末装置２ａに送信することとしても良い。
【００６４】
〔補正式受信ステップ〕、〔補正式表示ステップ〕
一方、端末装置２ａにおいては、受信部２ａｃが管理サーバー１の送信部１ｇから送信された当該測色計Ｓ１の登録が完了した旨の通知、及び、上述の区分された測定値毎の補正式に関する情報を受信して（Ｓ１８）、表示部２ａｄが、それら当該測色計Ｓ１の登録が完了した旨と当該測色計Ｓ１による測定値の基準値との差を補正する上述の区分された測定値毎の補正式に関する情報を表示する（Ｓ１９）。
【００６５】
ここで、ユーザは、表示部２ａｄに表示された、測色計Ｓ１による測定値の基準値との差を補正する上述の区分された測定値毎の補正式に関する情報を参照しつつ、出力装置Ｃ１から出力された出力物の色彩や濃度の測定値を、その測定値が属する所定の表色系における色空間の領域に対応する上述の区分された測定値毎の補正式によって補正することで、基準値との差を解消して、さらに、その補正された測定値に基づいて出力装置Ｃ１の出力色彩や出力濃度の調整を行うことで、自身の拠点に設置された出力装置Ｃ１のキャリブレーションを適正に行うことができる。
【００６６】
尚、以上に説明した工程を各拠点のユーザが測色計Ｓ２及び出力装置Ｃ２、測色計Ｓ３及び出力装置Ｃ３に対して同様に行うことで、全ての拠点に配置された測色計Ｓ１〜Ｓ３の測定値の基準値との差を解消して、全ての拠点に設置された出力装置Ｃ１〜Ｃ３のキャリブレーションを適正に行うことができる。これにより、各拠点に設置された出力装置Ｃ１〜Ｃ３においては、同一の色彩や濃度を有する出力物を出力することが可能になる。
【００６７】
以上に説明したように、本実施形態における色管理システム及びその色管理方法によれば、管理サーバー１の補正式導出部１ｃが、格納部１ａに格納された基準となる測色計Ｓ０による測色計補正用カラーチャートＰの各測定点での所定の表色系における色彩や濃度の基準値と、受信部１ｂにより受信された測色計Ｓ１〜Ｓ３による測色計補正用カラーチャートＰの各測定点での所定の表色系における色彩や濃度の測定値とに基づいて、所定の表色系における色空間を複数の領域に分割した当該複数の領域毎に、測色計Ｓ１〜Ｓ３による測色計補正用カラーチャートＰの各測定点での所定の表色系における色彩や濃度の測定値を区分し、当該区分された測定値毎に、複数種類の演算手法により、測色計Ｓ１〜Ｓ３による測色計補正用カラーチャートＰの色彩や濃度の測定値を基準となる測色計Ｓ０による測色計補正用カラーチャートＰの色彩や濃度の基準値に近似させる補正を行うための複数の補正式を導出して、算出部１ｄが、それら複数の補正式により補正された測色計Ｓ１〜Ｓ３による測色計補正用カラーチャートＰの色彩や濃度の測定値と基準となる測色計Ｓ０による測色計補正用カラーチャートＰの色彩や濃度の基準値との色差であるΔＥ＝{（ΔＬ＊）２＋（Δａ＊）２＋（Δｂ＊）２}１／２値を算出して、選択部１ｅが、その平均値（平均ΔＥ値）又は最大値（最大ΔＥ値）が最小となるものを最も補正精度の良い補正式として選択して、登録部１ｆが、その補正式を測色計Ｓ１〜Ｓ３による測色計補正用カラーチャートＰの色彩や濃度の測定値と基準値との差を補正する補正式として登録するので、管理サーバー１においては、測色計Ｓ１〜Ｓ３による測定値が属する上述の所定の表色系における色空間の領域に応じた精度の良い補正を行うことができる補正式を決定することができると共に、ユーザにおいては、各拠点において当該補正式を参照しつつ、出力装置Ｃ１〜Ｃ３から出力された出力物の色彩や濃度の測定を行い、その測定値が属する上述の所定の表色系における色空間の分割された領域に対応する補正式に基づいて、これを補正することで、基準値との差を解消して、さらに、その補正された測定値に基づいて出力装置Ｃ１〜Ｃ３の出力色彩や出力濃度の調整を行うことで、自身の拠点に設置された出力装置Ｃ１〜Ｃ３のキャリブレーションを適正に行うことができる。
【００６８】
また、本実施形態における色管理システム及びその色管理方法によれば、ユーザは、自身の拠点に配置された端末装置２ａ〜２ｃの受信部２ａｃによって、管理サーバー１から送信された、登録部１ｆに登録された補正式に関する情報を受信して、表示部２ａｄによって、当該受信した補正式に関する情報を表示することができるので、管理サーバー１の設置場所に赴くことなく、これを参照することができ、効率良く、自身の拠点に配置された測色計Ｓ１〜Ｓ３の測定値の補正を行い、その補正された測定値に基づいて出力装置Ｃ１〜Ｃ３の調整を行い、自身の拠点に設置された出力装置Ｃ１〜Ｃ３のキャリブレーションを行うことができる。
【００６９】
尚、本発明に係る色管理システム及びその色管理方法は、以上に説明した実施形態に限定されるものではなく、その要旨を逸脱することのない範囲内で、種々の変形が可能である。
【００７０】
例えば、上述した実施形態における色管理システム及びその色管理方法においては、基準となる測色計Ｓ０及び測色計Ｓ１〜Ｓ３は、その測定値がＣＩＥ  Ｌ＊ａ＊ｂ＊表示系、若しくは、ＸＹＺ表示系にて算出されることとしたが、この他にも、例えばＣＩＥ  Ｌ＊ｕ＊ｖ＊表示系等にて算出されることとしても良い。
【００７１】
これに伴い、上述した実施形態における色管理システム及びその色管理方法においては、複数の補正式により補正された測色計Ｓ１〜Ｓ３による測色計補正用カラーチャートＰの色彩や濃度の各測定点における測定値を区分する表色系として、ＣＩＥ  Ｌ＊ａ＊ｂ＊表色系を採用し、その色空間を複数に分割する領域の例として、例えばａ＊×ｂ＊空間における“＋ａ＊領域”及び“−ａ＊領域”の２つの領域と、ａ＊×ｂ＊空間における“＋ａ＊、＋ｂ＊領域”、“＋ａ＊、−ｂ＊領域”、“−ａ＊、＋ｂ＊領域”及び“−ａ＊、−ｂ＊領域”の４つの領域に分割する場合を挙げたが、この他にも、例えば上述した表色系としてＸＹＺ（三刺激値）表色系やＣＩＥ  Ｌ＊ｕ＊ｖ＊表示系等を採用することとしても良いし、また、上述した色空間を複数に分割する領域の例として、例えばＬ＊×ａ＊空間における“＋Ｌ＊領域”及び“−Ｌ＊領域”の２つの領域や、Ｌ＊×ａ＊空間における“＋Ｌ＊、＋ａ＊領域”、“＋Ｌ＊、−ａ＊領域”、“−Ｌ＊、＋ａ＊領域”及び“−Ｌ＊、−ａ＊領域”の４つの領域、或いは、Ｌ＊×ａ＊×ｂ＊空間における“＋Ｌ＊、＋ａ＊、＋ｂ＊領域”、“＋Ｌ＊、−ａ＊、＋ｂ＊領域”、“−Ｌ＊、＋ａ＊、＋ｂ＊領域”、“−Ｌ＊、−ａ＊、＋ｂ＊領域”、“＋Ｌ＊、＋ａ＊、−ｂ＊領域”、“＋Ｌ＊、−ａ＊、−ｂ＊領域”、“−Ｌ＊、＋ａ＊、−ｂ＊領域”及び“−Ｌ＊、−ａ＊、−ｂ＊領域”の８つの領域等に分割することとしても良い。因みに、色空間を分割する領域の数を増加することで（理想的には、各測定点毎に領域を分割することで）、導出される補正式の補正精度をより向上させることが考えられるが、これに伴い、管理サーバー１の補正式導出部１ｃや算出部１ｄにおいては、その補正式導出処理や算出処理にかかる負荷が増加することから、色空間を分割する領域の数は、それらの処理能力を鑑みて適切な範囲、例えば２〜８個程度の範囲内に設定されることが好ましい。
【００７２】
また、上述した実施形態における色管理システム及びその色管理方法においては、測色計補正用カラーチャートＰは、ＤＣＣＰにより出力されることが好ましい旨を記載したが、この他にも、例えばプリンタや複写機等の出力装置により出力することとしても良い。
【００７３】
また、上述した実施形態における色管理システム及びその色管理方法においては、測色計補正用カラーチャートＰは、同一の色彩及び濃度に管理された複数を各拠点に配置された測色計Ｓ１〜Ｓ３に対して、各々、郵送することとしたが、この他にも、１つのものを測色計Ｓ１〜Ｓ３に巡回させる。或いは、１つのものを測色計Ｓ１〜Ｓ３に対して、その都度、郵送して、これを回収することとしても良い。
【図面の簡単な説明】
【００７４】
【図１】本発明に係る色管理システムのシステム構成を示す説明図である。
【図２】測色計補正用カラーチャートの構成を示す説明図である。
【図３】図１に示す色管理システムの測色計及び端末装置において行われる色管理方法の一連の流れを説明するためのフローチャートである。
【図４】図１に示す色管理システムの管理サーバーにおいて行われる色管理方法の一連の流れを説明するためのフローチャートである。
【図５】図１に示す色管理システムの管理サーバー及び端末装置において行われる色管理方法の一連の流れを説明するためのフローチャートである。
【図６】図１に示す色管理システムの端末装置において、その表示手段に表示される補正用カラーチャート測定画面の構成を表す構成図である。
【図７】図１に示す管理サーバーの補正式導出部において、測色計による測色計補正用カラーチャートの各測定点での所定の表色系における色彩や濃度の測定値がその所定の表色系における色空間を複数の領域に分割した当該領域毎に区分される過程を説明するための説明図である。
【図８】（Ａ）、（Ｂ）は、共に、図１に示す管理サーバーの補正式導出部において、回帰分析により、補正式である２次関数の係数が求められる過程を説明するための説明図である。
【図９】（Ａ）、（Ｂ）は、共に、図１に示す管理サーバーの補正式導出部において、回帰分析により、補正式である１次関数の係数が求められる過程を説明するための説明図である。
【図１０】図１に示す管理サーバーの算出部において、各分割パターン毎に、補正された測色計による測色計補正用カラーチャートの各測定点での所定の表色系における色彩や濃度の測定値と基準との色差、最大色差及び平均色差が算出される過程を説明するための説明図である。
【符号の説明】
【００７５】
１  管理サーバー
１ａ  格納部
１ｂ  受信部
１ｃ  補正式導出部
１ｄ  算出部
１ｅ  選択部
１ｆ  登録部
１ｇ  送信部
２ａ〜２ｃ  端末装置
２ａａ  入力部
２ａｂ  送信部
２ａｃ  受信部
２ａｄ  表示部
Ｃ１〜Ｃ３  出力装置
Ｎ  ネットワーク
Ｐ  測色計補正用カラーチャート
Ｓ０  基準となる測色計
Ｓ１〜Ｓ３  測色計
【図１】
2005106607.tif 000007
【図２】
2005106607.tif 000008
【図３】
2005106607.tif 000009
【図４】
2005106607.tif 000010
【図５】
2005106607.tif 000011
【図６】
2005106607.tif 000012
【図７】
2005106607.tif 000013
【図８】
2005106607.tif 000014
【図９】
2005106607.tif 000015
【図１０】
2005106607.tif 000016